(57)【要約】【課題】ローマ字入力かな漢字変換方式をそのまま使用しながら、かなに対応しない英字２字をキーにして予め用意されたユーザー独自の辞書に格納された漢字などを含む１つ又は複数の定型句を読み出し、出力させるようにした拡張漢字出力方式を提供すること。【解決手段】ローマ字入力かな漢字変換方式において、かなに対応しない英字２字について１字目２字目の各英字により決まる二次元アドレスを有するユーザー独自の辞書メモリが作成されており、該英字２字、ただし英字２字以上でかなとなる可能性の英字２字を除く、の入力に対して、変換キー打なしに、該英字２字に対応する前記アドレスに格納された漢字などを含む１つの定型句又は複数の定型句を読み出し、１つの定型句は選択・確定キー打不要で出力確定するようにし、複数の定型句についてはそのうち１つが選択キー打により出力確定されるようにする。【選択図】図２
2010027022.tif 000002
【特許請求の範囲】
【請求項１】
ローマ字入力かな漢字変換方式において、かなに対応しない英字２字の入力に対して、変換キー打なしに、該英字２字に対応する、システム辞書とは別のユーザー独自の辞書アドレスに格納された漢字などを含む１つの定型句を読み出し、これを選択・確定キー打不要で出力確定するようにした、拡張漢字出力方式。
【請求項２】
かなに対応しない英字１字と数字１字との２字組合わせの入力に対して、変換キー打なしに、該２字に対応する、ユーザー独自の辞書アドレスに格納された漢字などを含む１つの定型句を読み出し、これを選択・確定キー打不要で出力確定するようにした、請求項１に記載の拡張漢字出力方式。
【請求項３】
２字に対応するユーザー独自の辞書アドレスに、１つの定型句に代えて複数の定型句が区切りマークを介して結合して格納されており、これより区切りマークを検出して読み出し、そのうち１つの定形句を選択、出力確定するようにした、請求項１又は請求項２に記載の拡張漢字出力方式。
【請求項４】
出力確定された定型句が目的のものでなかった場合に、特定のキー入力により消去されるようにした、請求項１、請求項２又は請求項３に記載の拡張漢字出力方式。
【請求項５】
入力された２字を目視した後に変換キーを打って、該２字に対応する、ユーザー独自の辞書アドレスに格納された１つ又は複数の定型句を読み出すようにした、請求項１、請求項２，請求項３又は請求項４に記載の拡張漢字出力方式。
【発明の詳細な説明】
【技術分野】
【０００１】
本発明は、拡張漢字出力方式に関し、詳しくはローマ字入力かな漢字変換方式をそのまま使用しながら、かなに対応しない英字２字をキーにして漢字などを含む定型句を読み出し、出力させるようにした拡張漢字出力方式に関する。
【背景技術】
【０００２】
現在、広く使用されているローマ字入力かな漢字変換方式は、かなの多くがローマ字２字からなり、全体として入力キーの打数が多いが、入力したかなに対し数多くの同音異義語が網羅されているシステム辞書のため、変換キー及び選択・確定キーを押して、目的の漢字が少し手間がかかるが容易に出力される。
【０００３】
【特許文献１】特開２００４−３０６５４号公報
【特許文献２】特開平１０−２２２５０３号公報
【特許文献３】特開昭６３−２１１０６１号公報
【非特許文献１】日本語入力ガイド、Ｍｉｃｒｏｓｏｆｔ  ＩＭＥ９７  ｆｏｒ  Ｗｉｎｄｏｗｓ（登録商標）  ９５  Ｕｐｇｒａｄｅ
【非特許文献２】一太郎２００６、文字入力の流れ（１６６頁）
【非特許文献３】マイコンサーキュラ、１９８３、２月号、「パソコンの漢字入力方」（４３−５１頁）
【０００４】
ところで、このローマ字入力かな漢字変換方式では、かなに対応するローマ字を入力しなければならない。これは当然のことであるが、入力ミスをした場合、かなに対応しない英字２字、例えば子音２字を打ってそのまま子音２字が画面に表示され、あわてて、ＥＳＣキーを押して、キーを打ち直すことがよくある。
しかしながら、ミス入力ではなく、意図的に例えば「ｋｋ」と打って、即座に「株式会社」と出力されると、その場合、変換キーも選択・確定キーも使わずに出力・表示確定すると、効率的である。
他方、日常生活をみてみると、英字の使用は広く行われており、上記の例のように英字２字に短縮して用いる例は文書事務などで普及している。「ｐｃ」は「パーソナルコンピュータ」であることは誰でも知っている。氏名なども英字２字に短縮して記載する例もある。よく使う用語を自分なりに覚えやすい英字２字に短縮して、独自の辞書に登録しておけばよいので、このような有用な方式が提案される。
【発明の開示】
【発明が解決しようとする課題】
【０００５】
本発明の課題は、ローマ字入力かな漢字変換方式をそのまま使用しながら、かなに対応しない英字２字をキーにして予め用意されたユーザー独自の辞書に格納された漢字などを含む定型句を読み出し、出力させるようにした拡張漢字出力方式を提供することである。  ここで、英字２字とはキーボード上のアルファベット文字、記号及び数字を含むが、数字２字の組合わせは除外される。
【課題を解決するための手段】
【０００６】
本発明は、ローマ字入力かな漢字変換方式において、かなに対応しない英字２字の入力に対して、変換キー打なしに、該英字２字に対応する、システム辞書とは別のユーザー独自の辞書アドレスに格納された漢字などを含む１つの定型句を読み出し、これを選択・確定キー打不要で出力確定するようにした、ことを特徴とする。
【発明の効果】
【０００７】
本発明によれば、ローマ字入力かな漢字変換方式の便利さはそのまま保持され、使用頻度の高い用語ないし定型句は短縮された英字２字を入力することで、即座に出力され、全体としてキー入力が少なくて、効率の良い文章作成が可能となる。
【発明を実施するための最良の形態】
【０００８】
ローマ字入力かな漢字変換方式において、かなに対応しない英字２字の入力に対して、変換キー打なしで、該英字２字に対応する、システム辞書とは別のユーザー独自の辞書アドレスに格納された漢字などを含む１つの定型句を読出して、これを選択・確定キー打不要で出力確定するようにする。
ローマ字入力かな漢字変換方式において、数字もキー入力が可能となっているので、かなに対応しない英字１字と数字１字との２字組合わせの入力に対して、ユーザー独自の辞書を同様に読み出して同様に出力されるようにする。これにより、用語を登録すべきアドレス数が増える。
ユーザー独自の辞書に、１つの定型句に代えて複数の定型句が区切りマークを介して結合して格納しておけば、これより区切りマークを検出して読み出し、そのうち１つ定形句を選択し、出力確定するようにする。この場合、複数の同音異義語でなく、よく使う関連ある用語をまとめておけば、便利である。
２字の入力がミスであった場合には、変換キー打なしに即座に出力された用語は特定の機能キー、例えばＥｓｃキーの入力により消去されるようにする。
２字の入力にミスがあったかどうか目視により確かめるために、変換キー打を待って、ユーザー独自の辞書を読み出し、これを選択・確定キー打不要で出力確定するようにするのもよい。
【実施例】
【０００９】
本発明の好適な実施例は図面に基づいて説明される。
図１はローマ字入力かな変換方式が実行されるコンピュータの構成例を示し、１０は制御装置、１２はキーボード、１４はディスプレの表示器、１６は記憶装置である。
図２は本発明の１実施例を示したフローチャート、図３は本発明によるユーザー独自の、つまり隠し辞書メモリの構成図示例である。
【００１０】
図２に示す実施例では、ステップＳ１からＳ１４までは、現に使われているローマ字入力かな漢字変換方式を示すものである。
ステップＳ１で英字１字目がキー入力され、ステップＳ２でそれが母音であるかを問われ、母音であれば、ステップＳ３であ行のいずれかのかなが表示され、ステップＳ４で漢字変換するかを問われ、そうするならばステップＳ５で変換キー（スペースキー）を打ち、現れた候補の漢字を選び、選択・確定キー（Ｅｎｔｅｒキー）を打って、選択された漢字が確定し表示され、次の文字を入力するために、ステップＳ１へ戻る。ステップＳ４で漢字変換しない場合にはその対応かなを確定するかをステップＳ６で問われ、確定するならステップＳ７で確定キー（Ｅｎｔｅｒキー）を打って、対応かなが確定表示され、次の文字を入力するために、ステップＳ１へ戻る。ステップＳ６で確定しない場合は次のかな入力のためステップＳ１へ戻る。
【００１１】
ステップＳ２で英字１字目が母音でない場合、ステップＳ８で英字２字目が入力され、ステップＳ９で英字２字がかなに対応するか問われ、かなに対応するならば、ステップＳ３に進み、前記の通りの手順操作が行われる。ステップＳ１０で英字３字目の入力でかなを構成するか問われ、図３のメモリアドレスで「？」を示す、例えば「ｂｙ」などについては、ステップＳ１１で英字３字目が入力され、ステップＳ１２で「ｂｙ」なら特定母音は「ａ，ｉ，ｕ，ｅ，ｏ」（場合によっては例えば「ｆｙ」については特定母音は「ａ，ｕ，ｏ」となる。）であり、そのいずれかであるかを判断され、該当するならば、対応かな、例えば「びゃ」がステップＳ３で表示され、前記手順操作が行われる。もし、特定母音でなければ、ステップＳ１３で例えば「ｂｙｓ」のように英字３字が表示され、これはミス入力と判断して、［ｅｓｃ］キー又は[Back space]キーを押して、消去し、ステップＳ１へ戻る。
【００１２】
ステップＳ１５では、かな非対応英字２字、ただし上記したような拗音を構成する先頭の英字２字を除いたもの、図３に示す行列アドレスでは「ｘ」と「？」を除いた英字２字によりアドレスが即座に指定され、そこに漢字などを含む１つの定型句又は区切りマーク例えば「＊」を介して連結された複数の定型句が格納されており、ステップＳ１５により変換キー打なしに読み出され、読み出された内容に区切りマークを含むかをステップＳ１６で問われ、区切りマークがなければ、適当カーソル位置に当該１つの定型句が出力・表示確定され、その際選択・確定キーは不要となり、次の操作となるステップＳ１へ進む。  
【００１３】
次に、ステップ１６で区切りマークを検出すれば、ステップＳ１８で複数定型句のうち先頭定型句を表示させ、ステップＳ１９でこれが目的の定型句であるかどうかを確かめ、そうであるなら確定キー打によりその定型句を出力・表示確定させ（ステップ２０）、次の操作となるステップＳ１へ進む。
【００１４】
ステップＳ１９で先頭定型句が目的の定型句でないなら、変換キーを打って、全ての連結定型句を表示させ、選択・確定キー打により目的の定型句を出力・表示確定し、次の操作となるステップＳ１へ進む。
【００１５】
なお、ステップＳ７、Ｓ５、Ｓ１４、Ｓ１７、Ｓ２０及びＳ２１では確定フラグを立て出力し、またステップＳ６ではそのフラグをリセットし、ステップ１５の処理はこのフラグ又は初期入力を確認して行なわれる。ローマ字入力により連続してかな変換された場合、いったん確定キーを押された後でステップＳ１５が処理される。図３の例では、「この接着剤」と入力する場合、「ｋｏｎｏ［確定キー打］ｂｄ」とする。
しかしながら、「ｋｏｎｏｂｄ」と打って「この接着剤」と出力させる方法も考えられる。この場合、辞書の読出しの際に確定キー打に相当する確定フラグをセットにするよう内部制御する。しかし、辞書の指定されたアドレスになんら定型句が格納されていない場合にはそのような制御を行わないようにすることも提案される。
【００１６】
図３に示した隠し辞書メモリの構成例では、かな非対応英字２字により指定されるごく一部のアドレスに１字ないし複数の漢字が格納、登録されている。１字目、２字目ともに、０の後に”ー＾￥＠「；：」、。・」”の記号なども含めて２次元メモリを構成し、アドレスの数を増やすこともできる。なお、記号にはシフトキーを使って「！、”、＃、＄、％、＆、’、（、）、＝、〜」などもあり、これらを含めるとさらにアドレスの数が増える。
【００１７】
ｂｂの部分はｂｕｂｕｎ（ローマ字読み）より短縮され、以下同様に、ｂｃの番地はｂａｎｃｈｉ（ローマ字読み）より、ｂｄの接着剤はｂｏｎｄ（英単語）より、ｂｆの前はｂｅｆｏｒｅ（英単語）より、ｂｈの浜はｂｅａｃｈ（英単語）より、ｂｊの美はｂｉｊｉｎ（ローマ字読み）より、ｂｋの本はｂｏｏｋ（英単語）より、ｂｌの鈴はｂｅｌｌ（英単語）より、ｂｍの底はｂｏｔｔｏｍ（英単語）より、ｂｐの物はｂｕｐｐｉｎ（ローマ字読み）より、ｂｑの驚はｂｉｑｑｕｒｉより、ｂｚの電話はｂｕｚｚｅｒより、ｂ１の壱はｂａｎｋ（銀行）で用いる数字より、等々で、それぞれ短縮されている。
また記号同士の２字もかなを構成しないので本発明を適用できるので、「＜＞」＝「開」、「＞＜」＝「閉」など絵文字を連想して容易に出力できるようにする。登録すべき用語ないし定型句は漢字に限らない。
【００１８】
図３に示した辞書メモリの「ｋ１」に対応するアドレスには、１つの定型句に代えて複数の定型句が区切りマークを介して結合させ、すなわち「大阪府＊京都府＊兵庫県＊滋賀県＊奈良県＊和歌山県＊」として格納されており、これより区切りマーク「＊」を検出した場合、その先頭句「大阪府」を表示し、これが目的のものであれば、確定キー打により出力確定させ、違うならば変換キー（スペースキー）打により、１．大阪府、２．京都府、３．兵庫県、４．滋賀県、５．奈良県、６．和歌山県として連結された複数の定型句を表示させ、その１つを選択、出力・表示確定させるようにする。これは同音多異義語より１つを出力・表示させている従来手順を利用できるが、他の方法により１つの定形句を選択、出力確定してもよい。その際、学習機能により先頭位を変えてもよく、又は固定でもよい。
このように、或る関連用語ないし定型句をグループとしてまとめて登録しておき、短縮２字により１つの定形句を選択、出力確定できることは、ワープロによる文書作成上効率的である。
【００１９】
ユーザー独自、いわゆる隠し辞書へ短縮英字２字と対応する１つ又は複数の定型句を登録するには、そのためのツールソフトが設けられる。好ましくは、文章入力の際に特殊機能キーを押して、登録できるようにする。いずれにしても、いったん登録された内容は自由に変更できるようにする。これらのソフトは当業者なら作成できる。
【００２０】
かな非対応の英字２字に入力ミスがあり得る。それを確かめるために、ミスであれば打ち直し、ミスでなければ（かな非対応の意図した２字であれば）、ステップＳ１０とステップＳ１５との間に変換キー打のステップを挿入して、ユーザー独自の辞書を読み出し、１つの定型句を、又は複数の定型句よりその１つを選択し、出力確定するようにする。
【図面の簡単な説明】
【００２１】
【図１】コンピュータの構成例示図。
【図２】１実施例を示したフローチャート。
【図３】ユーザー独自の、つまり隠し辞書メモリの構成図示例。
【図１】
2010027022.tif 000003
【図２】
2010027022.tif 000004
【図３】
2010027022.tif 000005
【手続補正書】
【提出日】平成20年11月13日(2008.11.13)
【手続補正１】
【補正対象書類名】特許請求の範囲
【補正対象項目名】全文
【補正方法】変更
【補正の内容】
【特許請求の範囲】
【請求項１】
ローマ字入力かな漢字変換方式において、かなに対応しない英字２字の入力に対して、変換キー打なしに、該英字２字に対応する、システム辞書とは別のユーザー独自の辞書アドレスに格納された漢字などを含む１つの定型句又は複数の定型句を読み出し、１つの定型句は選択・確定キー打不要で出力確定されるようにし、複数の定型句についてはそのうち１つの定形句が選択キー打により出力確定されるようにした、拡張漢字出力方式。
【請求項２】
かなに対応しない英字１字と数字１字との２字組合わせの入力に対して、変換キー打なしに、該２字に対応する、ユーザー独自の辞書アドレスに格納された１つ又は複数の定型句を読み出すようにした、請求項１に記載の拡張漢字出力方式。
【請求項３】
出力確定された定型句が目的のものでなかった場合に、特定のキー入力により消去されるようにした、請求項１又は請求項２に記載の拡張漢字出力方式。
【請求項４】
入力された２字を目視した後に変換キーを打って、該２字に対応する、ユーザー独自の辞書アドレスに格納された１つ又は複数の定型句を読み出すようにした、請求項１、請求項２又は請求項３に記載の拡張漢字出力方式。
【手続補正２】
【補正対象書類名】明細書
【補正対象項目名】全文
【補正方法】変更
【補正の内容】
【発明の詳細な説明】
【技術分野】
【０００１】
本発明は、拡張漢字出力方式に関し、詳しくはローマ字入力かな漢字変換方式をそのまま使用しながら、かなに対応しない英字２字をキーにして漢字などを含む１つ又は複数の定型句を読み出し、出力させるようにした拡張漢字出力方式に関する。
【背景技術】
【０００２】
現在、広く使用されているローマ字入力かな漢字変換方式は、かなの多くがローマ字２字からなり、全体として入力キーの打数が多いが、入力したかなに対し数多くのかな同音異義語が網羅されているシステム辞書のため、変換キー及び選択・確定キーを押して、目的の漢字が少し手間がかかるが容易に出力される。
【０００３】
【特許文献１】特開２００４−３０６５４号公報
【特許文献２】特開平１０−２２２５０３号公報
【特許文献３】特開昭６３−２１１０６１号公報
【非特許文献１】日本語入力ガイド、Ｍｉｃｒｏｓｏｆｔ  ＩＭＥ９７  ｆｏｒ  Ｗｉｎｄｏｗｓ（登録商標）  ９５  Ｕｐｇｒａｄｅ
【非特許文献２】一太郎２００６、文字入力の流れ（１６６頁）
【非特許文献３】マイコンサーキュラ、１９８３、２月号、「パソコンの漢字入力方」（４３−５１頁）
【０００４】
ところで、このローマ字入力かな漢字変換方式では、かなに対応するローマ字を入力しなければならない。これは当然のことであるが、入力ミスをした場合、かなに対応しない英字２字、例えば子音２字を打ってそのまま子音２字が画面に表示され、あわてて、ＥＳＣキーを押して、キーを打ち直すことがよくある。
しかしながら、ミス入力ではなく、意図的に例えば「ｋｋ」と打って、即座に「株式会社」と出力されると、その場合、変換キーも選択・確定キーも使わずに出力・表示確定すると、効率的である。また、略字ないし短縮字はその対応する用語が１つとは限らない。「株式会社」、「近畿」、「関係」、「機器」、「景気」などの同音短縮英２字の多異義語が出力され、その１つが選択、出力確定されると、便利である。
他方、日常生活をみてみると、英字の使用は広く行われており、上記の例のように英字２字に短縮して用いる例は文書事務などで普及している。「ｐｃ」は「パーソナルコンピュータ」であることは誰でも知っている。氏名なども英字２字に短縮して記載する例もある。よく使う用語を特定して、又は他の用語と関連付け、自分なりに覚えやすい英字２字に短縮して、独自の辞書に登録しておけばよいので、このような有用な方式が提案される。
【発明の開示】
【発明が解決しようとする課題】
【０００５】
本発明の課題は、ローマ字入力かな漢字変換方式をそのまま使用しながら、かなに対応しない英字２字をキーにして予め用意されたユーザー独自の辞書に格納された漢字などを含む１つの定型句又は複数の定型句を読み出し、出力させるようにした拡張漢字出力方式を提供することである。
ここで、英字２字とはキーボード上のアルファベット文字、記号及び数字を含むが、数字２字の組合わせは除外される。
【課題を解決するための手段】
【０００６】
本発明は、ローマ字入力かな漢字変換方式において、かなに対応しない英字２字の入力に対して、変換キー打なしに、該英字２字に対応する、システム辞書とは別のユーザー独自の辞書アドレスに格納された漢字などを含む１つの定型句又は複数の定型句を読み出し、１つの定型句は選択・確定キー打不要で出力確定されるようにし、複数の定型句についてはそのうち１つの定形句が選択キー打により出力確定されるようにした、ことを特徴とする。
【発明の効果】
【０００７】
本発明によれば、ローマ字入力かな漢字変換方式の便利さはそのまま保持され、使用頻度の高い用語ないし定型句は短縮された英字２字を入力することで、即座に出力され、全体としてキー入力が少なくて、効率の良い文章作成が可能となる。また同音短縮英２字の多異義語からその１つが選択により出力、確定される。これは従来のかな同音多異義語の選択に慣れているから使い勝手がよい。
【発明を実施するための最良の形態】
【０００８】
ローマ字入力かな漢字変換方式において、かなに対応しない英字２字の入力に対して、変換キー打なしで、該英字２字に対応する、システム辞書とは別のユーザー独自の辞書アドレスに格納された漢字などを含む１つの定型句を読出して、これを選択・確定キー打不要で出力確定するようにする。
同じアドレスに複数の定型句が格納されている場合は、読み出された複数の定型句についてはそのうち１つの定形句が選択キー打により出力確定されるようにする。複数の定型句は区切りマークを介して結合して格納してもよい。これより区切りマークを検出して読み出し、そのうち１つ定形句を選択キー打し、出力確定するようにする。この場合、同音短縮英２字の複数異義語など、またよく使う関連ある用語をまとめておけば、便利である。
ローマ字入力かな漢字変換方式において、数字もキー入力が可能となっているので、かなに対応しない英字１字と数字１字との２字組合わせの入力に対して、ユーザー独自の辞書を同様に読み出して同様に出力されるようにする。これにより、用語を登録すべきアドレス数が増える。
２字の入力がミスであった場合には、変換キー打なしに即座に出力された用語は特定の機能キー、例えばＥｓｃキーの入力により消去されるようにする。
２字の入力にミスがあったかどうか目視により確かめるために、変換キー打を待って、ユーザー独自の辞書を読み出し、これを選択・確定キー打不要で出力確定するようにするのもよい。
【実施例】
【０００９】
本発明の好適な実施例は図面に基づいて説明される。
図１はローマ字入力かな変換方式が実行されるコンピュータの構成例を示し、１０は制御装置、１２はキーボード、１４はディスプレの表示器、１６は記憶装置である。
図２は本発明の１実施例を示したフローチャート、図３は本発明によるユーザー独自の、つまり隠し辞書メモリの構成図示例である。
【００１０】
図２に示す実施例では、ステップＳ１からＳ１４までは、現に使われているローマ字入力かな漢字変換方式を示すものである。
ステップＳ１で英字１字目がキー入力され、ステップＳ２でそれが母音であるかを問われ、母音であれば、ステップＳ３であ行のいずれかのかなが表示され、ステップＳ４で漢字変換するかを問われ、そうするならばステップＳ５で変換キー（スペースキー）を打ち、現れた候補の漢字を選び、選択・確定キー（Ｅｎｔｅｒキー）を打って、選択された漢字が確定し表示され、次の文字を入力するために、ステップＳ１へ戻る。ステップＳ４で漢字変換しない場合にはその対応かなを確定するかをステップＳ６で問われ、確定するならステップＳ７で確定キー（Ｅｎｔｅｒキー）を打って、対応かなが確定表示され、次の文字を入力するために、ステップＳ１へ戻る。ステップＳ６で確定しない場合は次のかな入力のためステップＳ１へ戻る。
【００１１】
ステップＳ２で英字１字目が母音でない場合、ステップＳ８で英字２字目が入力され、ステップＳ９で英字２字がかなに対応するか問われ、かなに対応するならば、ステップＳ３に進み、前記の通りの手順操作が行われる。ステップＳ１０で英字３字目の入力でかなを構成するか問われ、図３のメモリアドレスで「？」を示す、例えば「ｂｙ」などについては、ステップＳ１１で英字３字目が入力され、ステップＳ１２で「ｂｙ」なら特定母音は「ａ，ｉ，ｕ，ｅ，ｏ」（場合によっては例えば「ｆｙ」については特定母音は「ａ，ｕ，ｏ」となる。）であり、そのいずれかであるかを判断され、該当するならば、対応かな、例えば「びゃ」がステップＳ３で表示され、前記手順操作が行われる。もし、特定母音でなければ、ステップＳ１３で例えば「ｂｙｓ」のように英字３字が表示され、これはミス入力と判断して、［ｅｓｃ］キー又は[Back space]キーを押して、消去し、ステップＳ１へ戻る。
【００１２】
ステップＳ１５では、かな非対応英字２字、ただし上記したような拗音を構成する先頭の英字２字を除いたもの、図３に示す行列アドレスでは「ｘ」と「？」を除いた英字２字によりアドレスが即座に指定され、そこに漢字などを含む１つの定型句又は区切りマーク例えば「＊」を介して連結された複数の定型句が格納されており、ステップＳ１５により変換キー打なしに読み出され、読み出された内容に区切りマークを含むかをステップＳ１６で問われ、区切りマークがなければ、適当カーソル位置に当該１つの定型句が出力・表示確定され、その際選択・確定キーは不要となり、次の操作となるステップＳ１へ進む。  
【００１３】
次に、ステップ１６で区切りマークを検出すれば、ステップＳ１８で複数定型句のうち先頭定型句を表示させ、ステップＳ１９でこれが目的の定型句であるかどうかを確かめ、そうであるなら確定キー打によりその定型句を出力・表示確定させ（ステップ２０）、次の操作となるステップＳ１へ進む。
【００１４】
ステップＳ１９で先頭定型句が目的の定型句でないなら、変換キーを打って、全ての連結定型句を表示させ、選択・確定キー打により目的の定型句を出力・表示確定し、次の操作となるステップＳ１へ進む。
【００１５】
なお、ステップＳ７、Ｓ５、Ｓ１４、Ｓ１７、Ｓ２０及びＳ２１では確定フラグを立て出力し、またステップＳ６ではそのフラグをリセットし、ステップ１５の処理はこのフラグ又は初期入力を確認して行なわれる。ローマ字入力により連続してかな変換された場合、いったん確定キーを押された後でステップＳ１５が処理される。図３の例では、「この接着剤」と入力する場合、「ｋｏｎｏ［確定キー打］ｂｄ」とする。
しかしながら、「ｋｏｎｏｂｄ」と打って「この接着剤」と出力させる方法も考えられる。この場合、辞書の読出しの際に確定キー打に相当する確定フラグをセットにするよう内部制御する。しかし、辞書の指定されたアドレスになんら定型句が格納されていない場合にはそのような制御を行わないようにすることも提案される。
本発明ではローマ字かな変換が優先される。例えば「ｋｋ」、「ｐｐ」の同一子音英字２字について、ＡＴＯＫでは頭に入力すると「っｋ」、「っｐ」にかな変換表示されるので、このような英字２字は採用されない。ＩＭＥでは「ｋｋ」、「ｐｐ」とそのまま表示され、かなに非対応なので採用可能であるが、かな文字列の途中に使用されるとき、例えば「ｋｅｋｋｏｎｎ」などでは、「ｋｋ」に対応するアドレスの内容読出しは不可とするような制御が求められる。従って、上記したような同一子音の英字２字は本発明では初めから採用しないとすることも提案される。
【００１６】
図３に示した隠し辞書メモリの構成例では、かな非対応英字２字により指定されるごく一部のアドレスに１字ないし複数の漢字が格納、登録されている。１字目、２字目ともに、０の後に”ー＾￥＠「；：」、。・」”の記号なども含めて２次元メモリを構成し、アドレスの数を増やすこともできる。なお、記号にはシフトキーを使って「！、”、＃、＄、％、＆、’、（、）、＝、〜」などもあり、これらを含めるとさらにアドレスの数が増える。
【００１７】
ｂｂの部分はｂｕｂｕｎ（ローマ字読み）より短縮され、以下同様に、ｂｃの番地はｂａｎｃｈｉ（ローマ字読み）より、ｂｄの接着剤はｂｏｎｄ（英単語）より、ｂｆの前はｂｅｆｏｒｅ（英単語）より、ｂｈの浜はｂｅａｃｈ（英単語）より、ｂｊの美はｂｉｊｉｎ（ローマ字読み）より、ｂｋの本はｂｏｏｋ（英単語）より、ｂｌの鈴はｂｅｌｌ（英単語）より、ｂｍの底はｂｏｔｔｏｍ（英単語）より、ｂｐの物はｂｕｐｐｉｎ（ローマ字読み）より、ｂｑの驚はｂｉｑｑｕｒｉより、ｂｚの電話はｂｕｚｚｅｒより、ｂ１の壱はｂａｎｋ（銀行）で用いる数字より、等々で、それぞれ短縮されている。
また記号同士の２字もかなを構成しないので本発明を適用できるので、「＜＞」＝「開」、「＞＜」＝「閉」など絵文字を連想して容易に出力できるようにする。登録すべき用語ないし定型句は漢字に限らない。
【００１８】
図３に示した辞書メモリの「ｋ１」に対応するアドレスには、１つの定型句に代えて複数の定型句が区切りマークを介して結合させ、すなわち「大阪府＊京都府＊兵庫県＊滋賀県＊奈良県＊和歌山県＊」として格納されており、これより区切りマーク「＊」を検出した場合、その先頭句「大阪府」を表示し、これが目的のものであれば、確定キー打により出力確定させ、違うならば変換キー（スペースキー）打により、１．大阪府、２．京都府、３．兵庫県、４．滋賀県、５．奈良県、６．和歌山県（近畿２府４県）として連結された複数の定型句を表示させ、その１つを選択、出力・表示確定させるようにする。これはかな同音多異義語より１つを出力・表示させている従来手順のようにして利用できる。なお他の方法により１つのアドレスに複数の定型句を登録したり、他の方法により１つの定形句を選択、出力確定してもよい。その際、学習機能により先頭位を変えてもよく、又は固定でもよい。
このように、或る関連用語ないし定型句をグループとしてまとめて登録しておき、短縮２字により１つの定形句を選択、出力確定できることは、ワープロによる文書作成上効率的である。
【００１９】
ユーザー独自の辞書について、かな非対応の英字２字に対する或る程度のアドレスには、本発明にかかるソフト提供者により、予め１つ又は複数の定型句を登録、書き込んでおくことが好ましい。例えば、見本を示すために、図３のように、又は「ｂｄ」のアドレスには「悪い＊寝台＊寝る＊バンド＊帯＊掲示板＊束＊」（同一短縮２字の複数異義語）と書き込んでおく。その上で、ユーザーが任意に追加、削除又は変更できるようなツールソフトが設けられる。好ましくは、文章入力の際に特殊機能キーを押して、登録できるようにする。このようなソフトは当業者なら作成できる。
【００２０】
かな非対応の英字２字に入力ミスがあり得る。それを確かめるために、ミスであれば打ち直し、ミスでなければ（かな非対応の意図した２字であれば）、ステップＳ１０とステップＳ１５との間に変換キー打のステップを挿入して、ユーザー独自の辞書を読み出し、１つの定型句を、又は複数の定型句よりその１つを選択し、出力確定するようにする。
【図面の簡単な説明】
【００２１】
【図１】コンピュータの構成例示図。
【図２】１実施例を示したフローチャート。
【図３】ユーザー独自の、つまり隠し辞書メモリの構成図示例。
【手続補正書】
【提出日】平成20年11月28日(2008.11.28)
【手続補正１】
【補正対象書類名】特許請求の範囲
【補正対象項目名】請求項３
【補正方法】変更
【補正の内容】
【請求項３】
入力された２字を目視した後に変換キーを打って、該２字に対応する、ユーザー独自の辞書アドレスに格納された１つ又は複数の定型句を読み出すようにした、請求項１又は請求項２に記載の拡張漢字出力方式。
【手続補正２】
【補正対象書類名】特許請求の範囲
【補正対象項目名】請求項４
【補正方法】変更
【補正の内容】
【請求項４】
読み出された１つの定型句が、表示された後で確定キー打により出力確定されるようにした、請求項１、請求項２又は請求項３に記載の拡張漢字出力方式。
【手続補正３】
【補正対象書類名】明細書
【補正対象項目名】００２０
【補正方法】変更
【補正の内容】
【００２０】
かな非対応の英字２字に入力ミスがあり得る。それを確かめるために、ミスであれば打ち直し、ミスでなければ（かな非対応の意図した２字であれば）、ステップＳ１０とステップＳ１５との間に変換キー打のステップを挿入して、ユーザー独自の辞書を読み出し、１つの定型句を、又は複数の定型句よりその１つを選択し、出力確定するようにする。
１つの定型句が格納されている場合には、これより読み出された１つの定型句が、表示された後で確定キー打により出力確定されるようにすることが、提案される。現行のローマ字入力かな漢字変換方式では定型句が表示された後で確定キーを打って出力確定するようになっているので、これに習った手順が好まれる場合もある。
【手続補正書】
【提出日】平成20年12月26日(2008.12.26)
【手続補正１】
【補正対象書類名】特許請求の範囲
【補正対象項目名】全文
【補正方法】変更
【補正の内容】
【特許請求の範囲】
【請求項１】
ローマ字入力かな漢字変換方式において、かなに対応しない英字２字について１字目２字目の各英字により決まる二次元アドレスを有するユーザー独自の辞書メモリが作成されており、該英字２字、ただし英字２字以上でかなとなる可能性の英字２字を除く、の入力に対して、変換キー打なしに、該英字２字に対応する前記アドレスに格納された漢字などを含む１つの定型句又は複数の定型句を読み出し、１つの定型句は選択・確定キー打不要で出力確定するようにし、複数の定型句についてはそのうち１つが選択キー打により出力確定されるようにした、拡張漢字出力方式。
【請求項２】
かなに対応しない英字１字と数字１字との２字組合わせの入力に対して、変換キー打なしに、該２字に対応する、ユーザー独自の辞書アドレスに格納された漢字などを含む１つの定型句又は複数の定型句を読み出すようにした、請求項１に記載の拡張漢字出力方式。
【請求項３】
入力された２字を目視した後に変換キーを打って、該２字に対応する、ユーザー独自の辞書アドレスに格納された１つ又は複数の定型句を読み出すようにした、請求項１又は請求項２に記載の拡張漢字出力方式。
【請求項４】
読み出された１つの定型句が、表示された後で確定キー打により出力確定されるようにした、請求項１、請求項２又は請求項３に記載の拡張漢字出力方式。
【手続補正２】
【補正対象書類名】明細書
【補正対象項目名】全文
【補正方法】変更
【補正の内容】
【発明の詳細な説明】
【技術分野】
【０００１】
本発明は、拡張漢字出力方式に関し、詳しくはローマ字入力かな漢字変換方式をそのまま使用しながら、かなに対応しない英字２字をキーにして漢字などを含む１つ又は複数の定型句を読み出し、出力させるようにした拡張漢字出力方式に関する。
【背景技術】
【０００２】
現在、広く使用されているローマ字入力かな漢字変換方式は、かなの多くがローマ字２字からなり、全体として入力キーの打数が多いが、入力したかなに対し数多くのかな同音異義語が網羅されているシステム辞書のため、変換キー及び選択・確定キーを押して、目的の漢字が少し手間がかかるが容易に出力される。
【０００３】
【特許文献１】特開２００４−３０６５４号公報
【特許文献２】特開平１０−２２２５０３号公報
【特許文献３】特開昭６３−２１１０６１号公報
【非特許文献１】日本語入力ガイド、Ｍｉｃｒｏｓｏｆｔ  ＩＭＥ９７  ｆｏｒ  Ｗｉｎｄｏｗｓ（登録商標）  ９５  Ｕｐｇｒａｄｅ
【非特許文献２】一太郎２００６、文字入力の流れ（１６６頁）
【非特許文献３】マイコンサーキュラ、１９８３、２月号、「パソコンの漢字入力方」（４３−５１頁）
【０００４】
ところで、このローマ字入力かな漢字変換方式では、かなに対応するローマ字を入力しなければならない。これは当然のことであるが、入力ミスをした場合、かなに対応しない英字２字、例えば子音２字を打ってそのまま子音２字が画面に表示され、あわてて、Ｅｓｃキーを押して、キーを打ち直すことがよくある。
【０００５】
しかしながら、ミス入力ではなく、意図的に例えば「ｋｋ」と打って、即座に「株式会社」と出力されると、その場合、変換キーも選択・確定キーも使わずに出力・表示確定すると、効率的である。また、英字２字の略字ないし短縮字はその対応する用語が１つとは限らない。「株式会社」、「近畿」、「関係」、「機器」、「景気」などの同一短縮英２字の複数異義語が出力され、その１つが選択、出力確定されると、便利である。
【０００６】
他方、日常生活をみてみると、英字の使用は広く行われており、上記の例のように英字２字に短縮して用いる例は文書事務などで普及している。「ｐｃ」は「パーソナルコンピュータ」であることは誰でも知っている。氏名なども英字２字に短縮して記載する例もある。よく使う用語を特定し（定型句）て、又は他の用語と関連付け、自分なりに覚えやすい英字２字に短縮して、独自の辞書に登録しておけばよいので、このような有用な方式が提案される。
【発明の開示】
【発明が解決しようとする課題】
【０００７】
本発明の課題は、ローマ字入力かな漢字変換方式をそのまま使用しながら、かなに対応しない英字２字をキーにして予め用意されたユーザー独自の辞書に格納された漢字などを含む１つ又は複数の定型句を読み出し、出力させるようにした拡張漢字出力方式を提供することである。
ここで、英字２字とはキーボード上のアルファベット文字、記号及び数字を含むが、数字２字の組合わせは除外される。
【課題を解決するための手段】
【０００８】
本発明は、ローマ字入力かな漢字変換方式において、かなに対応しない英字２字について１字目２字目の各英字により決まる二次元アドレスを有するユーザー独自の辞書メモリが作成されており、該英字２字、ただし英字２字以上でかなとなる可能性の英字２字を除く、の入力に対して、変換キー打なしに、該英字２字に対応する前記アドレスに格納された漢字などを含む１つの定型句又は複数の定型句を読み出し、１つの定型句は選択・確定キー打不要で出力確定するようにし、複数の定型句についてはそのうち１つが選択キー打により出力確定されるようにした、ことを特徴とする。
【発明の効果】
【０００９】
本発明によれば、ローマ字入力かな漢字変換方式の便利さはそのまま保持され、使用頻度の高い用語ないし定型句は短縮された英字２字を入力することで、即座に出力され、全体としてキー入力が少なくて、効率の良い文章作成が可能となる。また同一短縮英２字の複数異義語からその１つが選択により出力、確定される。これは従来のかな同音多異義語の選択に慣れているから使い勝手がよい。
【発明を実施するための最良の形態】
【００１０】
ローマ字入力かな漢字変換方式において、かなに対応しない英字２字について１字目２字目の各英字により決まる二次元アドレスを有するユーザー独自の辞書メモリが作成されており、該英字２字、ただし英字２字以上でかなとなる可能性の英字２字を除く、の入力に対して、変換キー打なしに、該英字２字に対応する前記アドレスに格納された漢字などを含む１つの定型句又は複数の定型句を読み出し、１つの定型句は選択・確定キー打不要で出力確定するようにし、複数の定型句についてはそのうち１つが選択キー打により出力確定されるようにする。
【００１１】
複数の定型句は区切りマークを介して結合して格納してもよい。これより区切りマークを検出して読み出し、そのうち１つ定形句を選択キー打し、出力確定するようにする。この場合、同一短縮英２字の複数異義語など、またよく使う関連ある用語をまとめておけば、便利である。
【００１２】
ローマ字入力かな漢字変換方式において、数字もキー入力が可能となっているので、かなに対応しない英字１字と数字１字との２字組合わせの入力に対して、ユーザー独自の辞書を同様に読み出して同様に出力されるようにする。これにより、用語が登録できるアドレス数が増える。
【００１３】
２字の入力がミスであった場合には、変換キー打なしに即座に出力された用語は特定の機能キー、例えばＥｓｃキーの入力により消去されるようにする。
２字の入力にミスがあったかどうか目視により確かめるために、変換キー打を待って、ユーザー独自の辞書を読み出し、これを選択・確定キー打不要で出力確定するようにするのもよい。
【実施例】
【００１４】
本発明の好適な実施例は図面に基づいて説明される。
図１はローマ字入力かな変換方式が実行されるコンピュータの構成例を示し、１０は制御装置、１２はキーボード、１４はディスプレの表示器、１６は記憶装置である。
図２は本発明の１実施例を示したフローチャート、図３は本発明によるユーザー独自の、つまり隠し辞書メモリの構成図示例である。
【００１５】
図２に示す実施例では、ステップＳ１からＳ１４までは、現に使われているローマ字入力かな漢字変換方式を示すものである。
ステップＳ１で英字１字目がキー入力され、ステップＳ２でそれが母音であるかを問われ、母音であれば、ステップＳ３であ行のいずれかのかなが表示され、ステップＳ４で漢字変換するかを問われ、そうするならばステップＳ５で変換キー（スペースキー）を打ち、現れた候補の漢字を選び、選択・確定キー（Ｅｎｔｅｒキー）を打って、選択された漢字が確定表示され、次の文字を入力するために、ステップＳ１へ戻る。ステップＳ４で漢字変換しない場合にはその対応かなを確定するかをステップＳ６で問われ、確定するならステップＳ７で確定キー（Ｅｎｔｅｒキー）を打って、対応かなが確定表示され、次の文字を入力するために、ステップＳ１へ戻る。ステップＳ６で確定しない場合は次のかな入力のためステップＳ１へ戻る。
【００１６】
ステップＳ２で英字１字目が母音でない場合、ステップＳ８で英字２字目が入力され、ステップＳ９で英字２字がかなに対応するか問われ、かなに対応するならば、ステップＳ３に進み、前記の通りの手順操作が行われる。ステップＳ１０で英字３字目の入力でかなを構成するか問われ、図３のメモリアドレスで「？」を示す、例えば「ｂｙ」などについては、ステップＳ１１で英字３字目が入力され、ステップＳ１２で「ｂｙ」なら特定母音は「ａ，ｉ，ｕ，ｅ，ｏ」（場合によっては例えば「ｆｙ」については特定母音は「ａ，ｕ，ｏ」となる。）であり、そのいずれかであるかを判断され、該当するならば、対応かな、例えば「びゃ」がステップＳ３で表示され、前記手順操作が行われる。もし、特定母音でなければ、ステップＳ１３で例えば「ｂｙｓ」のように英字３字が表示され、これはミス入力と判断して、［Ｅｓｃ］キー又は[Back space]キーを押して、消去し、ステップＳ１へ戻る。
【００１７】
ステップＳ１５では、かな非対応英字２字、ただし上記したような拗音など２字以上でかなとなる可能性の先頭英字２字を除いたもの、図３に示す行列アドレスでは「ｘ」と「？」を除いた英字２字により二次元アドレスが即座に指定され、そこに漢字などを含む１つの定型句又は区切りマーク例えば「＊」を介して連結された複数の定型句が格納されており、ステップＳ１５により変換キー打なしに読み出され、読み出された内容に区切りマークを含むかをステップＳ１６で問われ、区切りマークがなければ、適当カーソル位置に当該１つの定型句が出力・表示確定され、その際選択・確定キーは不要となり、次の操作となるステップＳ１へ進む。
【００１８】
次に、ステップ１６で区切りマークを検出すれば、ステップＳ１８で複数定型句のうち先頭定型句を表示させ、ステップＳ１９でこれが目的の定型句であるかどうかを確かめ、そうであるなら確定キー打によりその定型句を出力・表示確定させ（ステップ２０）、次の操作となるステップＳ１へ進む。
【００１９】
ステップＳ１９で先頭定型句が目的の定型句でないなら、変換キーを打って、全ての連結定型句を表示させ、選択・確定キー打により目的の定型句を出力・表示確定し、次の操作となるステップＳ１へ進む。
【００２０】
なお、ステップＳ７、Ｓ５、Ｓ１４、Ｓ１７、Ｓ２０及びＳ２１では確定フラグを立て出力し、またステップＳ６ではそのフラグをリセットし、ステップ１５の処理はこのフラグ又は初期入力を確認して行なわれる。ローマ字入力により連続してかな変換された場合、いったん確定キーを押された後でステップＳ１５が処理される。図３の例では、「この接着剤」と入力する場合、「ｋｏｎｏ［確定キー打］ｂｄ」とする。
【００２１】
しかしながら、「ｋｏｎｏｂｄ」と打って「この接着剤」と出力させる制御方法も考えられる。この場合、辞書の読出しの際に確定キー打に相当する確定フラグをセットにするよう内部制御する。
【００２２】
本発明では現行のローマ字かな変換方式が優先される。例えば「ｋｋ」、「ｐｐ」の同一子音英字２字について、ＡＴＯＫでは頭に入力すると「っｋ」、「っｐ」にかな変換表示されるので、このような英字２字は採用されない。ＩＭＥでは「ｋｋ」、「ｐｐ」とそのまま表示され、かなに非対応なので採用可能であるが、かな文字列の途中に使用されるとき、例えば「ｋｅｋｋｏｎｎ」などでは、「けっこん」とかな変換に優先されるので、採用されない。
【００２３】
図３に示した隠し辞書メモリの構成例では、かな非対応英字２字により指定されるごく一部のアドレスに１字ないし複数の漢字が１つの定型句として又は複数の定型句が格納、登録されている。１字目、２字目ともに、０の後に”ー＾￥＠「；：」、。・」”の記号なども含めて２次元メモリを構成し、アドレスの数を増やすこともできる。なお、記号にはシフトキーを使って「！、”、＃、＄、％、＆、’、（、）、＝、〜」などもあり、これらを含めると、さらにアドレスの数が増える。
【００２４】
アドレスは１字目２字目の英字により二次元アドレスとして決まる。例えば、「ｂｄ」ならば、図３に示すように、１字目英文字列では１番目、２字目英文字列では３番目で、二次元アドレス（１，３）が指定される。このような英文字列「ｂｃｄｆｇ・・・ｚ・・」はその構成及び序列についてこの図示例に限定されない。母音も含めて「ａｂｃｄｅｆｇ・・・ｚ・・」にしてもよい。この場合、かなに対応する英字２字のアドレスは空きのままになる。本発明では現行のローマ字かな変換方式が優先されるので、このようなアドレスへの読み出しは行われない。
【００２５】
ｂｂの部分はｂｕｂｕｎ（ローマ字読み）より短縮され、以下同様に、ｂｃの番地はｂａｎｃｈｉ（ローマ字読み）より、ｂｄの接着剤はｂｏｎｄ（英単語）より、ｂｆの前はｂｅｆｏｒｅ（英単語）より、ｂｈの浜はｂｅａｃｈ（英単語）より、ｂｊの美はｂｉｊｉｎ（ローマ字読み）より、ｂｋの本はｂｏｏｋ（英単語）より、ｂｌの鈴はｂｅｌｌ（英単語）より、ｂｍの底はｂｏｔｔｏｍ（英単語）より、ｂｐの物はｂｕｐｐｉｎ（ローマ字読み）より、ｂｑの驚はｂｉｑｑｕｒｉより、ｂｚの電話はｂｕｚｚｅｒより、ｂ１の壱はｂａｎｋ（銀行）で用いる数字より、等々で、それぞれ英字２字に短縮されている。
また記号同士の２字もかなを構成しないので本発明を適用できるので、「＜＞」＝「開」、「＞＜」＝「閉」など絵文字を連想して容易に出力できるようにする。登録すべき用語ないし定型句は漢字に限らない。
【００２６】
図３に示した辞書メモリの「ｋ１」に対応するアドレスには、１つの定型句に代えて複数の定型句が区切りマークを介して結合させ、「大阪府＊京都府＊兵庫県＊滋賀県＊奈良県＊和歌山県＊」が近畿２府４県として格納されており、これより区切りマーク「＊」を検出した場合、その先頭句「大阪府」を表示し、これが目的のものであれば、確定キー打により出力確定させ、違うならば変換キー（スペースキー）打により、１．大阪府、２．京都府、３．兵庫県、４．滋賀県、５．奈良県、６．和歌山県として連結された複数の定型句を表示させ、その１つを選択、出力・表示確定させるようにする。これはかな同音多異義語より１つを出力・表示させている従来手順のようにして利用できる。なお他の方法により１つのアドレスに複数の定型句を登録したり、他の方法により１つの定形句を選択、出力確定してもよい。その際、学習機能により先頭位を変えてもよく、又は固定でもよい。
このように、或る関連用語ないし定型句をグループとしてまとめて登録しておき、短縮２字により１つの定形句を選択、出力確定できることは、ワープロによる文書作成上効率的である。
【００２７】
ユーザー独自の辞書について、かな非対応の英字２字に対する或る程度のアドレスには、本発明にかかるソフト提供者により、予め１つ又は複数の定型句を登録、書き込んでおくことが好ましい。例えば、見本を示すために、「ｂｄ」のアドレスには「悪い＊寝台＊寝る＊バンド＊帯＊掲示板＊束＊」（同一短縮２字の複数異義語）と書き込んでおく。その上で、ユーザーが任意に追加、削除又は変更できるようなツールソフトが設けられる。好ましくは、文章入力の際に特殊機能キーを押して、登録できるようにする。ユーザー独自の辞書メモリが用意されており、英字２字に対応するアドレスが決まっており、書き込みは簡単に行われるので、このようなソフトは当業者なら作成できる。
【００２８】
かな非対応の英字２字に入力ミスがあり得る。それを確かめるために、ミスであれば打ち直し、ミスでなければ（かな非対応の意図した２字であれば）、ステップＳ１０とステップＳ１５との間に変換キー打のステップを挿入して、ユーザー独自の辞書を読み出し、１つの定型句を、又は複数の定型句よりその１つを選択し、出力確定するようにする。
【００２９】
１つの定型句が格納されている場合には、これより読み出された１つの定型句が、表示された後で確定キー打により出力確定されるようにすることが、提案される。現行のローマ字入力かな漢字変換方式では定型句が表示された後で確定キーを打って出力確定するようになっているので、これに習った手順が好まれる場合もある。
【図面の簡単な説明】
【００３０】
【図１】コンピュータの構成例示図。
【図２】１実施例を示したフローチャート。
【図３】ユーザー独自の、つまり隠し辞書メモリの構成図示例。